(57)【特許請求の範囲】
【請求項１】
槽本体に被処理水の処理を行う水処理機構を収容する水処理装置であって、
前記槽本体は、平面視が略長方形となる椀状の上部槽及び下部槽からなり、これら上部槽及び下部槽の接合フランジ面同士を接合することによって形成される構成であり、
前記上部槽及び下部槽の少なくとも一方は、当該槽の側壁面が内周側へと凹んだ複数のコルゲート部を備え、これら複数のコルゲート部には、当該槽の互いに対角となる隅部領域にて長辺中心線と短辺中心線とが交差する中心点に関し互いに点対称となる少なくとも二組のコルゲート部が含まれるとともに、互いに点対称となる当該コルゲート部同士の上端部の位置が、高さ方向に関し異なる構成であることを特徴とする水処理装置。
【請求項２】
請求項１に記載の水処理装置であって、
前記上部槽及び下部槽の少なくとも一方は、当該槽の前記隅部領域にて前記中心点に関し互いに点対称となる前記少なくとも二組のコルゲート部に、前記上端部の位置が高さ方向に関し前記接合フランジ面の位置と概ね合致するコルゲート部を含む構成であることを特徴とする水処理装置。
【請求項３】
請求項１または２に記載の水処理装置であって、
前記上部槽及び下部槽の少なくとも一方は、前記複数のコルゲート部に、当該槽の内部に設置される内装部材の取り付け座として用いられるコルゲート部を含む構成であることを特徴とする水処理装置。
【請求項４】
請求項１〜３のいずれかに記載の水処理装置であって、
前記槽本体は、前記下部槽の内部を区画するべく当該下部槽の短辺方向に沿って延在する仕切り板と、互いに対向する各側壁面において隣接するコルゲート部の間隔が前記仕切り板の厚みに基づいて設定された被挿入部とを備え、当該被挿入部に対し前記仕切り板が挿入可能な構成であることを特徴とする水処理装置。
【請求項５】
請求項４に記載の水処理装置であって、
前記被挿入部は、隣接するコルゲート部の間隔が前記仕切り板の厚みに概ね合致する構成であり、これによって当該被挿入部に挿入された状態の前記仕切り板の長辺方向への動作が規制されることを特徴とする水処理装置。
【発明の詳細な説明】
【技術分野】
【０００１】
本発明は、槽本体に被処理水の処理を行う水処理機構を収容する水処理装置に係り、詳しくは槽本体を構成する上部槽或いは下部槽の保管や運搬を容易にするのに有効な技術に関するものである。
【背景技術】
【０００２】
従来、上部槽及び下部槽のフランジ面同士を接合することによって形成されるフランジ接合式の浄化槽につき、接合前の上部槽或いは下部槽の保管や運搬を容易にする構成が種々提案されている。例えば、下記特許文献１には、浄化槽の上部槽或いは下部槽の側面に形成されるコルゲート部の形状を工夫することによって、スペーサー等を用いることなく複数の槽の積み重ねを行う可能性が提示されている。
【特許文献１】実開平５−１３５９６号公報
【発明の開示】
【発明が解決しようとする課題】
【０００３】
ところで、この種の浄化槽を構成する上部槽或いは下部槽を保管時や運搬時において積み重ねる場合には、積み重ね状態の安定化向上を図るとともに、積み重ね作業に関する作業性向上を図る要請がある。しかしながら、上記特許文献１に記載の浄化槽は、確かにスペーサー等を用いずに複数の槽を積み重ねる可能性を有するものの、積み重ね時のバランス性向上まで考慮した構成になっておらず、積み重ね状態を安定化させるのが難しい。
そこで、本発明はこのような点に鑑みてなされたものであり、水処理装置の槽本体を構成する上部槽或いは下部槽の積み重ね作業に際し、積み重ね状態の安定化向上を図るとともに、積み重ね作業に関する作業性向上を図るのに有効な技術を提供することを課題とする。
【課題を解決するための手段】
【０００４】
前記課題を解決するために、本発明が構成される。なお、本発明は、一般家庭等から排出される生活排水をはじめ、各種の被処理水の処理を行う水処理機構を槽本体に収容する水処理装置に適用され得る技術である。
【０００５】
（本発明の第１発明）
前記課題を解決する本発明の第１発明は、請求項１に記載されたとおりの水処理装置である。請求項１に記載のこの水処理装置は、槽本体に被処理水の処理を行う水処理機構を収容する装置として構成される。ここでいう「水処理機構」は、各種の被処理水の処理を行うための機構であり、典型的には固液分離処理部、生物処理部、貯留処理部、移送処理部、消毒処理部等を適宜組み合わせることによって構成される。槽本体は、平面視が略長方形となる椀状の上部槽及び下部槽からなり、これら上部槽及び下部槽の接合フランジ面同士を重ね合わせて接合することによって形成されるフランジ接合式の構成になっている。
【０００６】
本発明の槽本体は、上部槽及び下部槽の少なくとも一方が、側壁面が内周側へと凹んだ複数のコルゲート部を備える。これらのコルゲート部によって当該槽の側壁面に形成される波型形状は、いわゆる「コルゲート形状」と称呼される補強構造を構成する。特に、本発明では、これら複数のコルゲート部には、当該槽の隅部領域にて長辺中心線と短辺中心線とが交差する中心点に関し互いに点対称となる少なくとも一組のコルゲート部が含まれる構成になっている。長辺中心線は、当該槽の長辺に関する中心線であり、互いに対向する長辺中心を結ぶ線として規定される。また、短辺中心線は、当該槽の短辺に関する中心線であり、互いに対向する短辺中心を結ぶ線として規定される。
【０００７】
また、本発明では、互いに点対称となるコルゲート部同士の上端部の位置が、高さ方向に関し異なる構成とされる。なお、ここでいう「隅部領域」は、各槽の四隅において面取り形状とされた、いわゆる「コーナーＲ（面取半径）」と称呼される部位であり、本発明のような平面視が略長方形となる上部槽や下部槽においては、この隅部領域が各槽にて計４箇所に存在することとなる。本発明では、これら計４箇所の隅部領域の全ての箇所にコルゲート部が設けられた構成を採用することもできるし、或いは計４箇所の隅部領域のうち、互いに対角の関係にある２箇所の隅部領域のみにコルゲート部が設けられた構成を採用することもできる。
【０００８】
請求項１に記載の水処理装置のこのような構成によれば、槽本体を形成する上部槽或いは下部槽の積み重ね作業に際し、積み重ね状態の安定化向上を図るとともに、積み重ね作業に関する作業性向上を図ることが可能となる。
具体的には、本発明では、互いに点対称となるコルゲート部同士の上端部の位置が高さ方向に関し異なるように構成されているため、一方の槽を他方の槽に対し１８０度回転させた状態で積み重ねることによって、点対称同士のコルゲート部が互いに重なり合うとともに、重なり合うコルゲート部同士の上端部の位置の相違によって、積み重ね状態において下側の槽と上側の槽との間に空間（スペース）が形成されることとなる。従って、スペーサー等を用いることなく、手間とコストを抑えたうえで、複数の槽を上下に効率よく積み重ねることができ、また積み重ね状態を安定化させることができる。しかも一旦積み重ねた後の分離作業も容易に行うことができる。
また、本発明では、上部槽或いは下部槽の隅部領域にコルゲート部を設ける構成としているが、この隅部領域は長辺側や短片側の側壁面に比して変形が少ない領域とされる。従って、本発明によれば、上部槽或いは下部槽の複数を上下に積み重ねる作業の際、当該槽に外力が作用した場合であっても、この外力による変形によって下側の槽のコルゲート部に対し、上側の槽のコルゲー部の位置がずれるのを抑えることができ、下側の槽のコルゲート部に上側の槽のコルゲート部を確実に嵌め込むことが可能となる。これによって、上部槽或いは下部槽の複数を上下に積み重ねる作業の円滑化が図られる。
【０００９】
（本発明の第２発明）
前記課題を解決する本発明の第２発明は、請求項２に記載されたとおりの水処理装置である。
請求項２に記載のこの水処理装置では、請求項１に記載の上部槽及び下部槽の少なくとも一方は、当該槽の隅部領域にて中心点に関し互いに点対称となる少なくとも一組のコルゲート部に、上端部の位置が高さ方向に関し接合フランジ面の位置と概ね合致するコルゲート部を含む構成とされる。
このような構成によれば、一部のコルゲート部の上端部の位置を接合フランジ面まで延在させることによって、当該コルゲート部と接合フランジとが連接する構造が実現され、コルゲート部の上端部の位置が接合フランジ面よりも下方に位置する場合に比して、槽全体の高い補強効果が得られることとなる。
【００１０】
（本発明の第３発明）
前記課題を解決する本発明の第３発明は、請求項３に記載されたとおりの水処理装置である。
請求項３に記載のこの水処理装置では、請求項１または請求項２に記載の上部槽及び下部槽の少なくとも一方は、複数のコルゲート部に、当該槽の内部に設置される内装部材の取り付け座として用いられるコルゲート部を含む構成とされる。内装部材の取り付け座として用いるコルゲート部は、当該槽の隅部領域に設置されるコルゲート部であってもよいし、或いは当該槽の隅部領域以外の領域に設置されるコルゲート部であってもよい。ここでいう「内装部材」には、槽内に設置される各種の部材や部品が包含され、例えば機器類、配管類、計器類などの固定用若しくは取り付け用の部材を内装部材として用いることができる。
このような構成によれば、槽本体を形成する上部槽或いは下部槽の積み重ねに関与するコルゲート部を、槽内の内装部材の取り付けに用いることができるため合理的である。
【００１１】
（本発明の第４発明）
前記課題を解決する本発明の第４発明は、請求項４に記載されたとおりの水処理装置である。
請求項４に記載のこの水処理装置では、請求項１〜３のいずれかに記載の槽本体は、仕切り板及び被挿入部を少なくとも備える。仕切り板は、下部槽の内部を区画するべく当該下部槽の短辺方向に沿って延在する部材として構成される。被挿入部は、互いに対向する各側壁面において隣接するコルゲート領域の間隔を仕切り板の厚みに基づいて設定した部位として構成され、この被挿入部に仕切り板が挿入可能とされる。
このような構成によれば、槽本体を形成する上部槽或いは下部槽の積み重ねに関与するコルゲート部を、更に仕切り板挿入用のガイドとして用いることが可能となる。
【００１２】
（本発明の第５発明）
前記課題を解決する本発明の第５発明は、請求項５に記載されたとおりの水処理装置である。
請求項５に記載のこの水処理装置では、請求項４に記載の被挿入部は、隣接するコルゲート部の間隔が仕切り板の厚みに概ね合致する構成であり、これによって当該被挿入部の挿設された状態の仕切り板の長辺方向への動作が規制される構成とされる。
このような構成によれば、槽本体を形成する上部槽或いは下部槽の積み重ねに関与するコルゲート部を、仕切り板挿入用のガイドとして用いるとともに、更に仕切り板固定用として用いることが可能となる。
【発明の効果】
【００１３】
以上のように、本発明によれば、水処理装置の槽本体を構成する上部槽及び下部槽の少なくとも一方において、当該槽の隅部領域にて長辺中心線と短辺中心線とが交差する中心点に関し互いに点対称となる少なくとも一組のコルゲート部を設けるとともに、互いに点対称となるコルゲート部同士の上端部の位置が高さ方向に関し異なるように構成することによって、当該槽を上下に積み重ねる際の積み重ね状態の安定化向上を図るとともに、積み重ね作業に関する作業性向上を図ることが可能となった。
【発明を実施するための最良の形態】
【００１４】
以下に、本発明の一実施の形態を図面に基づいて説明する。なお、本実施の形態は、一般家庭や工場から排出される排水を、被処理水として処理する水処理装置の構成について説明するものである。
【００１５】
本発明における「水処理装置」の一実施の形態である水処理装置１００の外観が図１に示される。この水処理装置１００は、「浄化槽」或いは「排水処理槽」ともいう。図１に示すように、本実施の形態の水処理装置１００は、概括的に見て、槽本体１０１の内部に水処理機構１０２を収容する構成を有する。なお、水処理機構１０２は、被処理水に対し各種の処理を行う構成を有し、特に図示しないものの、固液分離処理部、生物処理部、貯留処理部、移送処理部、消毒処理部等を適宜組み合わせた構成になっている。この水処理機構１０２が、本発明における「水処理機構」に相当する。
【００１６】
本発明における「槽本体」としての槽本体１０１は、上部槽（「上槽」ともいう）１１０及び下部槽（「下槽」ともいう）１２０を備える。この上部槽１１０が本発明における「上部槽」に対応しており、下部槽１２０が本発明における「下部槽」に対応している。
上部槽１１０は、平面視が略長方形となる椀状の槽であり、下部槽１２０の上部に配置される槽である。この上部槽１１０は、流入部１０３、放流部１０４、マンホール１０５を少なくとも備える。一方、下部槽１２０は、平面視が略長方形となる椀状の槽であり、上部槽１１０の下部に配置される槽である。上部槽１１０の接合フランジ１１０ａの接合フランジ面と、下部槽１２０の接合フランジ１２０ａの接合フランジ面とを互いに重ね合わせた状態で接合することによって、フランジ接合式の槽本体１０１が形成される。
また、本実施の形態では、平面視が略長方形となる上部槽１１０の各コーナー部分１１０ｂに、側壁面が内周側へと凹んだコルゲート領域１１１が設けられている。同様に、平面視が略長方形となる下部槽１２０の４箇所のコーナー部分１２０ｂに、側壁面が内周側へと凹んだコルゲート領域１２１が設けられている。ここでいうコーナー部分１１０ｂ及びコーナー部分１２０ｂは、各槽の四隅において面取り形状とされた、いわゆる「コーナーＲ（面取半径）」と称呼される部位であり、本発明における「隅部領域」に相当する。詳細については後述するが、これらコルゲート領域１１１，１２１によって側壁面に形成される波型形状は、いわゆる「コルゲート形状」と称呼される補強構造を構成する。
【００１７】
（第１実施の形態）
ここで、槽本体１０１の下部槽の構造に関し、第１実施の形態の下部槽１２０の具体的な構成を、図２及び図３を参照しながら説明する。図２には第１実施の形態の下部槽１２０の側面図が示され、図３には第１実施の形態の下部槽１２０の平面図が示される。
【００１８】
図２及び図３に示すように、各コルゲート領域１２１は、第１コルゲート部１２２及び第２コルゲート部１２３が連接された形状を有する。第１コルゲート部１２２は、高さ方向（図２中の上下方向）に長手状に延在するとともに、その上端部１２２ａの位置が接合フランジ１２０ａの接合フランジ面の位置と概ね合致するコルゲート部として構成される。一方、第２コルゲート部１２３は、同様に高さ方向（図２中の上下方向）に長手状に延在するとともに、その上端部１２３ａの位置が接合フランジ１２０ａの接合フランジ面よりも下方（「低所」ともいう）に位置するコルゲート部として構成される。すなわち、第１コルゲート部１２２と第２コルゲート部１２３とでは、上端部の位置が高さ方向（上下方向）に関し異なる構成になっている。また、第１コルゲート部１２２と第２コルゲート部１２３とでは、内周側へ向かう凹み深さがほぼ同様となるように構成されている。これら第１コルゲート部１２２及び第２コルゲート部１２３が、本発明における「コルゲート部」を構成する。
【００１９】
特に、本実施の形態では、下部槽１２０の側壁面における、これら第１コルゲート部１２２及び第２コルゲート部１２３の配設位置に関しては、図３中の矢印で対応関係を示すように、中心点Ｐに関し互いに点対称となる四組のコルゲート領域を有し、各組において、第１コルゲート部１２２及び第２コルゲート部１２３が互いに組み合わせられている。ここで、中心点Ｐは、下部槽１２０の長辺中心線Ｌ１と、下部槽１２０の短辺中心線Ｌ２が交差する点として構成される。長辺中心線Ｌ１は、下部槽１２０の長辺に関する中心線であり、互いに対向する長辺中心を結ぶ線として規定される。また、短辺中心線Ｌ２は、下部槽１２０の短辺に関する中心線であり、互いに対向する短辺中心を結ぶ線として規定される。しかも、本実施の形態では、中心点Ｐに関し互いに点対称となるコルゲート領域の組み合わせ同士の上端部１２２ａ，１２３ａの位置が高さ方向（上下方向）に関し異なる構成になっている。ここでいう長辺中心線Ｌ１、短辺中心線Ｌ２、中心点Ｐが、本発明における「長辺中心線」、「短辺中心線」、「中心点」に各々対応している。
【００２０】
次に、このような構成の下部槽１２０の複数を保管時や運搬時などにおいて上下に積み重ねる場合につき、図４及び図５を参照しながら説明する。ここで、図４には、実線で示す下側の下部槽１２０の上方から、二点鎖線で示す上側の下部槽１２０を積み重ねる際の様子が示される。また、図５には、下部槽１２０を積み重ねた状態における図４中のＡ−Ａ線断面構造が示される。
【００２１】
少なくとも２つの下部槽１２０を上下に積み重ねる場合には、一方側の下部槽１２０を他方側の下部槽１２０に対し中心点（図３中の中心点Ｐ）まわりに１８０度回転させたのち、図４に示すように上側の下部槽１２０を下側の下部槽１２０に対し嵌め込むように挿入する。このとき、下側の下部槽１２０の第１コルゲート部１２２の位置と、上側の下部槽１２０の第２コルゲート部１２３の位置が合致し、下側の下部槽１２０の第２コルゲート部１２３の位置と、上側の下部槽１２０の第１コルゲート部１２２の位置が合致する。そして、２つの下部槽１２０を上下に積み重ねた状態では、下側の下部槽１２０のコルゲート領域１２１に対し、上側の下部槽１２０のコルゲート領域１２１が嵌まり込むこととなる。具体的には、下側の下部槽１２０の第１コルゲート部１２２に対し、上側の下部槽１２０の第２コルゲート部１２３が嵌まり込み、下側の下部槽１２０の第２コルゲート部１２３に対し、上側の下部槽１２０の第１コルゲート部１２２が嵌まり込む。すなわち、本実施の形態では、上側の下部槽１２０と下側の下部槽１２０とが計８箇所のコルゲート部によって互いに係合することとなる。
【００２２】
このとき、少なくとも２つの下部槽１２０を上下に積み重ねた状態では、図５に示すように、下側の下部槽１２０の第１コルゲート部１２２の上端部１２２ａに対し、上側の下部槽１２０の第２コルゲート部１２３の上端部１２３ａが載置される。すなわち、第１コルゲート部１２２の上端部１２２ａと、第２コルゲート部１２３の上端部１２３ａとの段差形状によって、互いに積み重ね状態にある下側の下部槽１２０と上側の下部槽１２０との間に所定高さの空間（スペース）１２４が形成されることとなる。この空間１２４の形成によって、スペーサー等を用いることなく、手間とコストを抑えたうえで複数の下部槽１２０を上下に効率よく積み重ねることができ、積み重ね状態を安定化させることができる。しかも、一旦積み重ねた後の分離作業も容易に行うことができる。なお、本実施の形態において、第２コルゲート部１２３の上端部１２３ａを、槽内に設置される内装部材、例えば槽内に装着される機器類、配管類、計器類などの固定用若しくは取り付け用の取り付け座として構成することもできる。
【００２３】
また、本実施の形態では、下部槽１２０のコルゲート領域１２１（第１コルゲート部１２２及び第２コルゲート部１２３）を各コーナー部分１２０ｂに設ける構成としているが、各コーナー部分１２０ｂは長辺側や短片側の側壁面に比して変形が少ない領域とされる。従って、本実施の形態によれば、少なくとも２つの下部槽１２０を上下に積み重ねる作業の際、各下部槽１２０に外力が作用した場合であっても、当該外力による変形によって下側の下部槽１２０のコルゲート領域１２１に対し、上側の下部槽１２０のコルゲート領域１２１の位置がずれるのを抑えることができ、下側の下部槽１２０のコルゲート領域１２１に上側の下部槽１２０のコルゲート領域１２１を確実に嵌め込むことが可能となる。これによって、少なくとも２つの下部槽１２０を上下に積み重ねる作業の円滑化が図られる。
【００２４】
また、本実施の形態の下部槽１２０の構成では、第１コルゲート部１２２の上端部１２２ａの位置が接合フランジ１２０ａの接合フランジ面の位置と概ね合致する構成であるため、第１コルゲート部１２２と接合フランジ１２０ａとが連接する構造が実現されることとなる。このような構造は、特に下部槽１２０全体の高い補強効果（例えば捩れ強度向上効果）を得るのに有効である。
【００２５】
そのうえ、本実施の形態では、図１に示すように、下部槽１２０におけるコルゲート領域１２１と、上部槽１１０におけるコルゲート領域１１１とが、接合フランジ１１０ａ，１２０ａの接合フランジ面において互いに当接（連接）するように構成されている。このような構成によれば、下部槽１２０のコルゲート領域１２１と、上部槽１１０のコルゲート領域１１１とが連接する構造によって、下部槽１２０のみならず、槽本体１０１全体の高い補強効果が得られる。
【００２６】
なお、少なくとも２つの下部槽１２０を上下に積み重ねた状態で、更に別の下部槽１２０を積み重ねる場合には、当該別の下部槽１２０を、既に積み重ね状態にある最上段の下部槽１２０の中心点まわりに１８０度回転させたのち、最上段の下部槽１２０に対し嵌め込むように挿入する。更に別の下部槽１２０を積み重ねる場合は、同様の手順によって行うことができる。
また、少なくとも２つの上部槽１１０を上下に積み重ねる方法に関しては、上述のような下部槽１２０の積み重ね方法と同様の方法によって可能となる。
【００２７】
（第２実施の形態）
槽本体１０１の下部槽の構造に関し、第２実施の形態の下部槽２２０の具体的な構成を、図６及び図７を参照しながら説明する。図６には第２実施の形態の下部槽２２０の側面図が示され、図７には第２実施の形態の下部槽２２０の平面図が示される。
なお、この第２実施の形態では、平面視が略長方形となる下部槽２２０の４箇所のコーナー部分１２０ｂのうち、対角となる２箇所のコーナー部分１２０ｂのみにコルゲート領域２２１が設けられている。各コルゲート領域２２１は、第１実施の形態のコルゲート領域１２１と同様に、下部槽２２０の側壁面が内周側へと凹んだ部位であり、第１コルゲート部２２２及び第２コルゲート部２２３が連接された形状を有する。
【００２８】
第１コルゲート部２２２は、第１実施の形態の第１コルゲート部１２２と同様に、高さ方向（図６中の上下方向）に長手状に延在するとともに、その上端部２２２ａの位置が接合フランジ２２０ａの接合フランジ面の位置と概ね合致するコルゲート部として構成される。一方、第２コルゲート部２２３は、第１実施の形態の第２コルゲート部１２３と同様に、高さ方向（図６中の上下方向）に長手状に延在するとともに、その上端部２２３ａの位置が接合フランジ２２０ａの接合フランジ面よりも下方（「低所」ともいう）に位置するコルゲート部として構成される。すなわち、第１コルゲート部２２２と第２コルゲート部２２３とでは、上端部の位置が高さ方向（上下方向）に関し異なる構成になっている。また、第１コルゲート部２２２と第２コルゲート部２２３とでは、内周側へ向かう凹み深さがほぼ同様となるように構成されている。これら第１コルゲート部２２２及び第２コルゲート部２２３が、本発明における「コルゲート部」を構成する。
【００２９】
特に、本実施の形態では、下部槽２２０の側壁面における、これら第１コルゲート部２２２及び第２コルゲート部２２３の配設位置に関しては、図７中の矢印で対応関係を示すように、中心点Ｐに関し互いに点対称となる二組のコルゲート領域を有し、各組において、第１コルゲート部２２２及び第２コルゲート部２２３が互いに組み合わせられている。しかも、本実施の形態では、中心点Ｐに関し互いに点対称となるコルゲート領域の組み合わせ同士の上端部２２２ａ，２２３ａの位置が高さ方向（上下方向）に関し異なる構成になっている。
【００３０】
次に、このような構成の下部槽２２０の複数を保管時や運搬時などにおいて上下に積み重ねる場合につき、図８及び図９を参照しながら説明する。ここで、図８には、実線で示す下側の下部槽２２０の上方から、二点鎖線で示す上側の下部槽２２０を積み重ねる際の様子が示され、図９には、下部槽２２０を積み重ねた状態における図８中のＢ−Ｂ線断面構造が示される。
【００３１】
少なくとも２つの下部槽２２０を上下に積み重ねる場合には、一方側の下部槽２２０を他方側の下部槽２２０に対し中心点（図７中の中心点Ｐ）まわりに１８０度回転させたのち、図８に示すように上側の下部槽２２０を下側の下部槽２２０に対し嵌め込むように挿入する。このとき、下側の下部槽２２０の第１コルゲート部２２２の位置と、上側の下部槽２２０の第２コルゲート部２２３の位置が合致し、下側の下部槽２２０の第２コルゲート部２２３の位置と、上側の下部槽２２０の第１コルゲート部２２２の位置が合致する。そして、２つの下部槽２２０を上下に積み重ねた状態では、下側の下部槽２２０のコルゲート部２２１に対し、上側の下部槽２２０のコルゲート部２２１が嵌まり込むこととなる。具体的には、下側の下部槽２２０の第１コルゲート部２２２に対し、上側の下部槽２２０の第２コルゲート部２２３が嵌まり込み、下側の下部槽２２０の第２コルゲート部２２３に対し、上側の下部槽２２０の第１コルゲート部２２２が嵌まり込む。すなわち、本実施の形態では、上側の下部槽２２０と下側の下部槽２２０とが計４箇所のコルゲート部によって互いに係合することとなる。
【００３２】
このとき、少なくとも２つの下部槽１２０を上下に積み重ねた状態では、図９に示すように、下側の下部槽２２０の第１コルゲート部２２２の上端部２２２ａに対し、上側の下部槽２２０の第２コルゲート部２２３の上端部２２３ａが載置される。すなわち、第１コルゲート部２２２の上端部２２２ａと、第２コルゲート部２２３の上端部２２３ａとの段差形状によって、互いに積み重ね状態にある下側の下部槽２２０と上側の下部槽２２０との間に所定高さの空間（スペース）２２４が形成されることとなる。この空間２２４の形成によって、スペーサー等を用いることなく、手間とコストを抑えたうえで複数の下部槽２２０を上下に効率よく積み重ねることができ、また積み重ね状態を安定化させることができる。しかも、一旦積み重ねた後の分離作業も容易に行うことができる。
【００３３】
また、本実施の形態では、下部槽２２０のコルゲート領域２２１（第１コルゲート部２２２及び第２コルゲート部２２３）を２箇所のコーナー部分２２０ｂに設ける構成としているが、このコーナー部分１２０ｂは長辺や短片に比して変形が少ない領域とされる。従って、本実施の形態によれば、少なくとも２つの下部槽２２０を上下に積み重ねる作業の際、各下部槽２２０に外力が作用した場合であっても、当該外力による変形によって下側の下部槽２２０のコルゲート部２２１に対し、上側の下部槽２２０のコルゲート部２２１の位置がずれるのを抑えることができ、下側の下部槽２２０のコルゲート部２２１に上側の下部槽２２０のコルゲート部２２１を確実に嵌め込むことが可能となる。これによって、少なくとも２つの下部槽２２０を上下に積み重ねる作業の円滑化が図られる。
また、本実施の形態によれば、下部槽２２０の４箇所のコーナー部分１２０ｂのうち、対角となる２箇所のコーナー部分１２０ｂのみにコルゲート領域２２１を設けることによって、コルゲート領域２２１の設置を抑えた簡便な構成が実現されることとなる。
【００３４】
（第３実施の形態）
また、図１に示す水処理装置１００の構成にかえて、図１０に示すように槽本体３０１の内部に水処理機構１０２を収容する水処理装置３００の構成を用いることもできる。図１０には、本発明における「水処理装置」の一実施の形態である水処理装置３００の外観が示される。なお、図１０において、図１に示す構成要素と同一の構成要素には同一の符号を付している。
【００３５】
図１０に示すように、本発明における「槽本体」である槽本体３０１は、本発明における「上部槽」である上部槽３１０、及び本発明における「下部槽」である下部槽３２０を備える。上部槽３１０は、第１実施の形態の上部槽１１０の構成において、その長辺側の側壁面に更に複数のコルゲート部１１５を備える構成とされる。一方、下部槽３２０は、第１実施の形態の上部槽１２０の構成において、その長辺側の側壁面に更に複数の第３コルゲート部１２５及び第４コルゲート部１２６を備える構成とされる。
【００３６】
ここで、槽本体３０１の下部槽３２０の具体的な構成を、図１１及び図１２を参照しながら説明する。図１１には第３実施の形態の下部槽３２０の側面図が示され、図１２には第３実施の形態の下部槽３２０の平面図が示される。
【００３７】
図１１及び図１２に示すように、第３コルゲート部１２５は、高さ方向（図１１中の上下方向）に長手状に延在するとともに、その上端部１２５ａの位置が接合フランジ１２０ａの接合フランジ面の位置と概ね合致するコルゲート部として構成される。一方、第４コルゲート部１２６は、同様に高さ方向（図１１中の上下方向）に長手状に延在するとともに、その上端部１２６ａの位置が接合フランジ１２０ａの接合フランジ面よりも下方であって、且つ第２コルゲート部１２３の上端部１２３ａと同様の高さに位置するコルゲート部として構成される。また、第３コルゲート部１２５と第４コルゲート部１２６とでは、内周側へ向かう凹み深さがほぼ同様となるように構成されている。これら第３コルゲート部１２５及び第４コルゲート部１２６が、本発明における「コルゲート部」を構成する。
【００３８】
第３コルゲート部１２５及び第４コルゲート部１２６の配設位置に関しては、図１２中の矢印で対応関係を示すように、中心点Ｐに関し互いに点対称となる四組のコルゲート領域を有し、各組において、第３コルゲート部１２５及び第４コルゲート部１２６が互いに組み合わせられている。しかも、本実施の形態では、中心点Ｐに関し互いに点対称となるコルゲート領域の組み合わせ同士の上端部１２５ａ，１２６ａの位置が高さ方向（上下方向）に関し異なる構成になっている。
【００３９】
次に、このような構成の下部槽３２０の複数を保管時や運搬時などにおいて上下に積み重ねる場合につき、図１３及び図１４を参照しながら説明する。ここで、図１３には、実線で示す下側の下部槽３２０の上方から、二点鎖線で示す上側の下部槽３２０を積み重ねる際の様子が示される。また、図１４には、下部槽３２０を積み重ねた状態における図１３中のＣ−Ｃ線断面構造が示される。
【００４０】
少なくとも２つの下部槽３２０を上下に積み重ねる場合には、一方側の下部槽３２０を他方側の下部槽３２０に対し中心点（図１２中の中心点Ｐ）まわりに１８０度回転させたのち、図１３に示すように上側の下部槽３２０を下側の下部槽３２０に対し嵌め込むように挿入する。このとき、２つの下部槽３２０を上下に積み重ねた状態では、下側の下部槽３２０の第１コルゲート部１２２に対し、上側の下部槽３２０の第２コルゲート部１２３が嵌まり込み、下側の下部槽３２０の第２コルゲート部１２３に対し、上側の下部槽３２０の第１コルゲート部１２２が嵌まり込む。更に、下側の下部槽３２０の第３コルゲート部１２５に対し、上側の下部槽３２０の第４コルゲート部１２６が嵌まり込み、下側の下部槽３２０の第４コルゲート部１２６に対し、上側の下部槽３２０の第３コルゲート部１２５が嵌まり込む。すなわち、本実施の形態では、上側の下部槽３２０と下側の下部槽３２０とが計１６箇所のコルゲート部によって互いに係合することとなる。
【００４１】
このとき、少なくとも２つの下部槽３２０を上下に積み重ねた状態では、図１４に示すように、下側の下部槽３２０の第３コルゲート部１２５の上端部１２５ａに対し、上側の下部槽３２０の第４コルゲート部１２６の上端部１２６ａが載置される。すなわち、第３コルゲート部１２５の上端部１２５ａと、第４コルゲート部１２６の上端部１２６ａとの段差形状によって、互いに積み重ね状態にある下側の下部槽３２０と上側の下部槽３２０との間に所定高さの空間１２４ａが形成されることとなる。また、前述のように、第１コルゲート部１２２の上端部１２２ａと、第２コルゲート部１２３の上端部１２３ａとの段差形状によって、互いに積み重ね状態にある下側の下部槽３２０と上側の下部槽３２０との間に所定高さの空間１２４が形成される（図５参照）。これら空間１２４，１２４ａの形成によって、スペーサー等を用いることなく、手間とコストを抑えたうえで複数の下部槽３２０を上下に効率よく積み重ねることができ、また積み重ね状態を安定化させることができる。しかも、一旦積み重ねた後の分離作業も容易に行うことができる。なお、本実施の形態において、第４コルゲート部１２６の上端部１２６ａを、槽内に設置される内装部材、例えば槽内に装着される機器類、配管類、計器類などの固定用若しくは取り付け用の取り付け座として構成することもできる。
【００４２】
本実施の形態の下部槽３２０の構成によれば、コルゲート領域１２１（第１コルゲート部１２２及び第２コルゲート部１２３）を各コーナー部分１２０ｂに設けることによって、積み重ねる作業の円滑化を図るとともに、互いに嵌まり合うコルゲート部の箇所を増やすことによって、当該積み重ねに関する更なる安定性向上を図ることが可能となる。
【００４３】
また、本実施の形態では、槽内部を区画する仕切り板の取り付けに関し、上述のコルゲート形状を用いるのが好ましい。ここで、図１５〜図１７を参照しながら、第３実施の形態の下部槽３２０において仕切り板１３０を取り付けるための具体的な構成について説明する。この仕切り板１３０が、本発明における「仕切り板」に相当する。
【００４４】
図１５及び図１６に示すように、この実施の形態では、下部槽３２０の側壁面において第３コルゲート部１２５と第４コルゲート部１２６の間に、仕切り板１３０用の被挿入部１２７を設ける。そして、被挿入部１２７の間隔ａが上下方向に関しほぼ一定となるように構成するとともに、この被挿入部１２７の間隔ａが、仕切り板１３０の長辺方向に関する部分（上端及び下端における折り返し部分）の板厚ｂと概ね合致するか或いは若干大きくなるように構成する。この被挿入部１２７が、本発明における「被挿入部」に相当する。
【００４５】
このような構成において、下部槽３２０に仕切り板１３０を取り付ける場合には、図１５中の矢印で示すように、被挿入部１２７の上方から仕切り板１３０を挿入していく。このとき、被挿入部１２７は、仕切り板１３０を下部槽３２０の下方へ向けて円滑に誘導するための仕切り板誘導手段としての機能を発揮する。そして、仕切り板１３０を所望の設置位置まで挿入した状態では、仕切り板１３０の下端が被挿入部１２７の底部に当たることによって仕切り板１３０の挿入方向の動作が規制されるとともに、長辺方向への移動動作が規制されることとなる。このように、本実施の形態によれば、仕切り板１３０の形状に基づいて被挿入部１２７の間隔ａを適宜設定することによって、下部槽３２０の積み重ねに関与するコルゲート部１２５，１２６を、更に仕切り板ガイド用、仕切り板ストッパー用及び仕切り板固定用の部位として用いることが可能となる。
【００４６】
また、図１５及び図１６に示す実施の形態において、被挿入部１２７の間隔のうち上部の間隔ｃを下部の間隔ａよりも拡張させた傾斜状の構成（図１７参照）を用いることもできる。このような構成によれば、下部槽３２０の積み重ねに関与するコルゲート部１２５，１２６を、仕切り板ガイド用、仕切り板ストッパー用及び仕切り板固定用の部位として用いることが可能となるうえに、更に被挿入部１２７の挿入口側の間隔を広げることによって、被挿入部１２７への仕切り板１３０の誘導を円滑に行うことができ、また仕切り板１３０の接着のために被挿入部１２７内に予め塗布した接着材が、当該仕切り板１３０の挿入の際に削がれるのを抑えることが可能となる。
【００４７】
（第１の参考例）
また、図１８には、第１の参考例の下部槽４２０の平面図が示される。
図１８に示す下部槽４２０では、各コーナー部分１２０ｂに第１コルゲート部１２２の第２コルゲート部１２３のいずれか一方のみを設ける構成としている。
【００４８】
（第２の参考例）
また、図１９には、第２の参考例の下部槽５２０の平面図が示される。
図１９に示す下部槽５２０では、各コーナー部分２２０ｂに第１コルゲート部２２２の第２コルゲート部２２３のいずれか一方のみを設ける構成としている。
【００４９】
〔他の実施の形態〕
なお、本発明は上記の実施の形態のみに限定されるものではなく、種々の応用や変形が考えられる。例えば、上記実施の形態を応用した次の各形態を実施することもできる。
【００５０】
上記実施の形態では、槽本体の下部槽におけるコルゲート形状について記載したが、本発明を上部槽の構成に対して適用することもできる。また、下部槽同士を積み重ねる構成、上部槽同士を積み重ねる構成、上部槽と下部槽を組み合わせて積み重ねる構成に関し、本発明のコルゲート形状を用いることができる。また、上記実施の形態では、下部槽のコーナー部分及び長辺部分の側壁面におけるコルゲート形状について記載したが、下部槽の短辺部分の側壁面におけるコルゲート形状に対して本発明を適用することもできる。
【００５１】
また、上記実施の形態では、例えば第１実施の形態の下部槽１２０において、第１コルゲート部１２２の上端部１２２ａの高さ方向に関する位置が接合フランジ１２０ａの接合フランジ面の位置に概ね合致する場合について記載したが、本発明では、この第１コルゲート部１２２の上端部１２２ａの位置は、接合フランジ面の位置に概ね合致してもよいし、或いは接合フランジ面の位置よりも下方に適宜設定されてもよい。
【００５２】
また、本発明では、槽の側壁面に設ける複数のコルゲート部のうち、その全部または一部が積み重ねに関与するコルゲート部であればよく、例えば槽の側壁面の全てのコルゲート部が積み重ねに関与する構成であってもよいし、或いは積み重ねに関与するコルゲート部と積み重ねに関与しないコルゲート部とが共存する構成であってもよい。
【００５３】
また、以上説明してきた各実施の形態や種々の変更例の記載に基づいた場合、本発明では、被処理水の処理を行う水処理機構（水処理機構１０２）を構成要件としない躯体としての槽状体の構成（態様１〜態様５）を採り得る。
【００５４】
（態様１）
本発明では、態様１として「被処理水の処理を行う水処理装置を構成する槽状体であって、平面視が略長方形となる椀状の上部槽及び下部槽からなり、これら上部槽及び下部槽の接合フランジ面同士を接合することによって形成される構成であり、前記上部槽及び下部槽の少なくとも一方は、当該槽の側壁面が内周側へと凹んだ複数のコルゲート部を備え、これら複数のコルゲート部には、当該槽の互いに対角となる隅部領域にて長辺中心線と短辺中心線とが交差する中心点に関し互いに点対称となる少なくとも二組のコルゲート部が含まれるとともに、互いに点対称となる当該コルゲート部同士の上端部の位置が、高さ方向に関し異なる構成であることを特徴とする槽状体。」という構成が考えられる。
このような態様１によれば、請求項１に記載の発明と同様に、槽状体を形成する上部槽或いは下部槽の積み重ね作業に際し、積み重ね状態の安定化向上を図るとともに、積み重ね作業に関する作業性向上を図ることが可能となる。
【００５５】
（態様２）
また、本発明では、態様２として「態様１に記載の槽状体であって、前記上部槽及び下部槽の少なくとも一方は、当該槽の前記隅部領域にて前記中心点に関し互いに点対称となる前記少なくとも二組のコルゲート部に、前記上端部の位置が高さ方向に関し前記接合フランジ面の位置と概ね合致するコルゲート部を含む構成であることを特徴とする槽状体。」という構成が考えられる。
このような態様２によれば、請求項２に記載の発明と同様に、一部のコルゲート部の上端部の位置を接合フランジ面まで延在させることによって、当該コルゲート部と接合フランジとが連接する構造が実現され、コルゲート部の上端部の位置が接合フランジ面よりも下方に位置する場合に比して、槽全体の高い補強効果が得られることとなる。
【００５６】
（態様３）
また、本発明では、態様３として「態様１または２に記載の槽状体であって、前記上部槽及び下部槽の少なくとも一方は、前記複数のコルゲート部に、当該槽の内部に設置される内装部材の取り付け座として用いられるコルゲート部を含む構成であることを特徴とする槽状体。」という構成が考えられる。
このような態様３によれば、請求項３に記載の発明と同様に、槽状体を形成する上部槽或いは下部槽の積み重ねに関与するコルゲート部を、槽内の内装部材の取り付けに用いることができるため合理的である。
【００５７】
（態様４）
また、本発明では、態様４として「態様１〜３のいずれかに記載の槽状体であって、前記下部槽の内部を区画するべく当該下部槽の短辺方向に沿って延在する仕切り板と、互いに対向する各側壁面において隣接するコルゲート部の間隔が前記仕切り板の厚みに基づいて設定された被挿入部とを備え、当該被挿入部に対し前記仕切り板が挿入可能な構成であることを特徴とする槽状体。」という構成が考えられる。
このような態様４によれば、請求項４に記載の発明と同様に、槽状体を形成する上部槽或いは下部槽の積み重ねに関与するコルゲート部を、更に仕切り板挿入用のガイドとして用いることが可能となる。
【００５８】
（態様５）
また、本発明では、態様５として「態様４に記載の槽状体であって、前記被挿入部は、隣接するコルゲート部の間隔が前記仕切り板の厚みに概ね合致する構成であり、これによって当該被挿入部に挿入された状態の前記仕切り板の長辺方向への動作が規制されることを特徴とする槽状体。」という構成が考えられる。
このような態様５によれば、請求項５に記載の発明と同様に、槽状体を形成する上部槽或いは下部槽の積み重ねに関与するコルゲート部を、仕切り板挿入用のガイドとして用いるとともに、更に仕切り板固定用として用いることが可能となる。
【図面の簡単な説明】
【００５９】
【図１】本発明における「水処理装置」の一実施の形態である水処理装置１００の外観を示す図である。
【図２】第１実施の形態の下部槽１２０の側面図である。
【図３】第１実施の形態の下部槽１２０の平面図である。
【図４】実線で示す下側の下部槽１２０の上方から、二点鎖線で示す上側の下部槽１２０を積み重ねる際の様子を示す図である。
【図５】下部槽１２０を積み重ねた状態における図４中のＡ−Ａ線断面構造を示す図である。
【図６】第２実施の形態の下部槽２２０の側面図である。
【図７】第２実施の形態の下部槽２２０の平面図である。
【図８】実線で示す下側の下部槽２２０の上方から、二点鎖線で示す上側の下部槽２２０を積み重ねる際の様子を示す図である。
【図９】下部槽２２０を積み重ねた状態における図８中のＢ−Ｂ線断面構造を示す図である。
【図１０】本発明における「水処理装置」の一実施の形態である水処理装置３００の外観を示す図である。
【図１１】第３実施の形態の下部槽３２０の側面図である。
【図１２】第３実施の形態の下部槽３２０の平面図である。
【図１３】実線で示す下側の下部槽３２０の上方から、二点鎖線で示す上側の下部槽３２０を積み重ねる際の様子を示す図である。
【図１４】下部槽３２０を積み重ねた状態における図１３中のＣ−Ｃ線断面構造を示す図である。
【図１５】第３実施の形態の下部槽３２０において仕切り板１３０を取り付けるための構成を説明する図である。
【図１６】第３実施の形態の下部槽１２０において仕切り板１３０を取り付けるための構成を説明する図である。
【図１７】第３実施の形態の下部槽３２０において仕切り板１３０を取り付けるための構成を説明する図である。
【図１８】第１の参考例の下部槽４２０の平面図である。
【図１９】第２の参考例の下部槽５２０の平面図である。
【符号の説明】
【００６０】
１００，３００…水処理装置
１０１，３０１…槽本体
１０２…水処理機構
１０３…流入部
１０４…放流部
１０５…マンホール
１１０，３１０…上部槽
１１０ａ，１２０ａ，２２０ａ…接合フランジ
１１０ｂ，１２０ｂ，２２０ｂ…コーナー部分
１２０，２２０，３２０，４２０，５２０…下部槽
１２１，２２１…コルゲート領域
１２２，２２２…第１コルゲート部
１２２ａ，１２３ａ，２２２ａ，２２３ａ…上端部
１２３，２２３…第２コルゲート部
１２４，１２４ａ，２２４…空間
１２５…第３コルゲート部
１２６…第４コルゲート部
１２７…被挿入部
１３０…仕切り板
【図１】
0004621599.tif 000002
【図２】
0004621599.tif 000003
【図３】
0004621599.tif 000004
【図４】
0004621599.tif 000005
【図５】
0004621599.tif 000006
【図６】
0004621599.tif 000007
【図７】
0004621599.tif 000008
【図８】
0004621599.tif 000009
【図９】
0004621599.tif 000010
【図１０】
0004621599.tif 000011
【図１１】
0004621599.tif 000012
【図１２】
0004621599.tif 000013
【図１３】
0004621599.tif 000014
【図１４】
0004621599.tif 000015
【図１５】
0004621599.tif 000016
【図１６】
0004621599.tif 000017
【図１７】
0004621599.tif 000018
【図１８】
0004621599.tif 000019
【図１９】
0004621599.tif 000020